(57)【要約】【課題】静電容量式のタッチキー２５を備えたビルトイン型ＩＨ調理器において、タッチキー２５の誤動作が生じないようにしたものが望まれていた。【解決手段】操作パネル２７の下面に電極基板４２を配置し、電極基板４２の下方に表示回路基板５０を設ける。そして、表示回路基板５０から所定の間隔をあけて下方にフレキシブル配線基板４４を配線する。フレキシブル配線基板４４が表示回路基板５０から所定の離間状態を維持するように、フレキシブル配線基板４４を支持体４６で支持する。支持体４６には、フレキシブル配線基板４４を下面側に沿わせて案内するための横長支持部４７およびフレキシブル配線基板を横長支持部４７の下面に当接させた状態を維持するための複数の係止爪４８が備えられている。また、横長支持部４７には、その長さ方向に交差方向へ突出する突部５４が備えられている。【選択図】図１１
2009163898.tif 000002
【特許請求の範囲】
【請求項１】
キッチンキャビネットに形成された開口に上方から挿入され、前方部がキッチンキャビネットに備えられたステーに保持されるビルトイン型ＩＨ調理器であって、
被加熱物を収容した調理容器が載置される天板と、
前記天板の下側に配置され、天板に載置された調理容器を加熱するための加熱コイルと、
前記天板の前縁に沿って、上面が水平に横方向に延びるように設けられた横長の操作パネルと、
前記操作パネルの周囲を囲う枠体と、
前記操作パネルの下面に配置され、前記操作パネルの上面に操作者が触れることによる静電容量変化を取り出すための電極と、
前記操作パネルの下面に、前記電極に隣接して設けられた表示部と、
前記表示部の下方に配置され、表示部に表示を行わせるための表示回路基板と、
前記操作パネルの下方であって、前記電極から横方向へ離れた位置に設けられ、前記電極が取り出す静電容量変化をデジタル信号に変換し、前記加熱コイルを駆動するための制御部へ出力するための処理基板と、
前記電極が取り出す静電容量変化を電極の下方であって、前記表示回路基板より低い位置まで導き、かつ、その低い位置で横方向へ導いて前記処理回路へ与えるためのフレキシブル配線基板と、
前記フレキシブル配線基板を支持する樹脂製の支持体であって、前記低い位置で横方向へ延び、前記フレキシブル配線基板と前記操作パネルおよび前記表示回路基板との間を所定の離間状態に維持する横長支持部を含む支持体と、
を備えたことを特徴とするビルトイン型ＩＨ調理器。
【請求項２】
キッチンキャビネットに形成された開口に上方から挿入され、前方部がキッチンキャビネットに備えられたステーに保持されるビルトイン型ＩＨ調理器であって、
被加熱物を収容した加熱調理容器が載置される天板と、
前記天板の下側に配置され、天板に載置された調理容器を加熱するための加熱コイルと、
前記天板の前縁に沿って、上面が水平に横方向に延びるように設けられた横長の操作パネルと、
前記操作パネルの周囲を囲う枠体と、
前記操作パネルの下面に配置され、前記操作パネルの上面に操作者が触れることによる静電容量変化を取り出すための電極と、
前記操作パネルの下方であって、前記電極から横方向へ離れた位置に設けられ、前記電極が取り出す静電容量変化をデジタル信号に変換し、前記加熱コイルを駆動するための制御部へ出力するための処理基板と、
前記電極が取り出す静電容量変化を電極の下方の低い位置まで導き、かつ、その低い位置で横方向へ導いて前記処理基板へ与えるためのフレキシブル配線基板と、
前記フレキシブル配線基板を支持する樹脂製の支持体であって、前記低い位置で横方向へ延び、前記フレキシブル配線基板と前記操作パネルとの間を所定の離間状態に維持する横長支持体を含む支持体と、
を備えたことを特徴とするビルトイン型ＩＨ調理器。
【請求項３】
キッチンキャビネットに形成された開口に上方から挿入され、前方部がキッチンキャビネットに備えられたステーに保持されるビルトイン型ＩＨ調理器であって、
被加熱物を収容した調理容器が載置される天板と、
前記天板の下側に配置され、天板に載置された調理容器を加熱するための加熱コイルと、
前記天板の前縁の下面に配置され、前記天板の前縁上面に操作者が触れることによる静電容量変化を取り出すための電極と、
前記天板の下方であって、前記電極から横方向へ離れた位置に設けられ、前記電極が取り出す静電容量変化をデジタル信号に変換し、前記加熱コイルを駆動するための制御部へ出力するための処理基板と、
前記電極が取り出す静電容量変化を電極の下方の低い位置まで導き、かつ、その低い位置で横方向へ導いて前記処理基板へ与えるためのフレキシブル配線基板と、
前記フレキシブル配線基板を支持する樹脂製の支持体であって、前記低い位置で横方向へ延び、前記フレキシブル配線基板と前記天板との間を所定の離間状態に維持する横長支持部を含む支持体と、
を備えたことを特徴とするビルトイン型ＩＨ調理器。
【請求項４】
前記支持体は、上側に上側空間を確保するために突出するリブを有することを特徴とする、請求項１〜３のいずれかに記載のビルトイン型ＩＨ調理器。
【請求項５】
前記枠体は金属で形成されていることを特徴とする、請求項１または２記載のビルトイン型ＩＨ調理器。
【請求項６】
前記操作パネルは、キッチンキャビネットへの組み込み完了時に前記ステーの上に配置される構成であり、配置時に、前記横長支持部は前記ステーの上面と対向する位置になり、
前記支持体は、前記ステーの上面と前記横長支持部とを所定の離間状態に維持するために、横長支持部から下方へ突出する突起を有することを特徴とする、請求項１、２または５記載のビルトイン型ＩＨ調理器。
【請求項７】
前記枠体は、操作パネルの下方を覆う金属製底板を含むことを特徴とする、請求項５記載のビルトイン型ＩＨ調理器。
【請求項８】
前記支持体は、金属製底板との間を所定の離間状態に保つために、前記横長支持体から下方へ突出する突起を有することを特徴とする、請求項７記載のビルトイン型ＩＨ調理器。
【請求項９】
前記横長支持部は、前記枠内の下方前側において、前記フレキシブル配線基板を支持することを特徴とする、請求項１〜８のいずれかに記載のビルトイン型ＩＨ調理器。
【請求項１０】
前記操作パネルは、前記天板より一段高い位置に設けられていることを特徴とする、請求項１、２または５記載のビルトイン型ＩＨ調理器。
【請求項１１】
前記操作パネルには、回転式操作部が設けられていて、
回転式操作部は、前記操作パネルを上下に貫通する孔から上方へ突出する回転軸と、
前記孔の周囲を覆うように、前記操作パネルの上面に配置された水封シールド環と、
前記回転軸の周囲を囲み、かつ、前記水封シールド環を覆うように設けられた環状のつまみ土台と、
前記つまみ土台を介在させ、回転軸の上端に取り付けられた操作ダイヤルと、
を有することを特徴とする、請求項１、２または５記載のビルトイン型ＩＨ調理器。
【発明の詳細な説明】
【技術分野】
【０００１】
この発明は、キッチンキャビネットにビルトインされるビルトイン型ＩＨ調理器に関する。
【背景技術】
【０００２】
従来より、キッチンキャビネットにビルトインされるビルトイン型ＩＨ調理器が知られている。たとえば、特許文献１に記載のビルトイン型ＩＨ調理器は、トッププレート（天板に相当する）が露出されるようにキッチンキャビネットに組み込まれる。
特許文献１に記載のビルトイン型ＩＨ調理器には、前面右側に操作部９が設けられ、操作部９には複数の操作スイッチ２６と複数の表示器２７とが備えられている。（特許文献１の段落［００２１］、図２参照）
また、表示器２７は、ガラス製のトッププレートの前縁に配置される構成も示されている。（特許文献１の図２、図３参照）
【特許文献１】特開２００２−３９５４６号公報
【発明の開示】
【発明が解決しようとする課題】
【０００３】
特許文献１に記載のビルトイン型ＩＨ調理器では、前面に操作部９が設けられており、そこに複数の操作スイッチ２６が配置されているため、操作スイッチ２６が何のスイッチであるかを確認するためには、ユーザは屈んで操作スイッチ２６を見なければならず、操作スイッチ２６の操作がしにくいという課題がある。
そこで、ＩＨ調理器においては、たとえば天板の前縁に、静電容量式のタッチキーを設け、上方からタッチキーを操作するようにしたものが提案されている。
【０００４】
ところで、静電容量式のタッチキーは、メンブレン式の押圧キー（シートスイッチ）と比べて耐久性はあるが、信頼性が劣るという課題がある。なぜなら、静電容量式のタッチキーは、ユーザが触れたときの静電容量の微小な変化を検出し、その静電容量の微小な変化を制御部等へ伝達するための配線回路が備えられているが、配線回路が長い場合は配線回と周囲の部材との間の静電容量がノイズとして加わり、微小な静電容量変化を正しく制御部へ伝達することができないという課題がある。
【０００５】
特に、ＩＨ調理器において、操作パネルとして厚みのあるガラス板が使用されている場合、ガラス板に操作者が手指を触れた際にガラス板を介して微小な静電容量変化を検出しなければならず、検出された静電容量変化が配線基板を伝わる間に、配線基板と周囲の部材との間の静電容量が変化して、ノイズが加わりやすいという課題があった。
この発明は、このような背景のもとになされたもので、静電容量式のタッチキーを備えたビルトイン型ＩＨ調理器であって、タッチキーの誤動作が生じないように配線構造が改善されたビルトイン型ＩＨ調理器を提供することを主たる目的とする。
【０００６】
この発明は、また、静電容量変化を取り出すための電極と、電極により取り出された静電容量変化を処理信号に変換処理するための処理基板との間を接続するフレキシブル配線基板の配置構造が改造されたビルトイン型ＩＨ調理器を提供することを他の目的とする。  この発明は、さらに、操作パネルに備えられた操作ダイヤルが、水やごみ等の侵入しにくい構造とされ、故障が生じにくいビルトイン型ＩＨ調理器を提供することを他の目的とする。
【課題を解決するための手段】
【０００７】
請求項１記載の発明は、キッチンキャビネットに形成された開口に上方から挿入され、前方部がキッチンキャビネットに備えられたステーに保持されるビルトイン型ＩＨ調理器であって、被加熱物を収容した調理容器が載置される天板と、前記天板の下側に配置され、天板に載置された調理容器を加熱するための加熱コイルと、前記天板の前縁に沿って、上面が水平に横方向に延びるように設けられた横長の操作パネルと、前記操作パネルの周囲を囲う枠体と、前記操作パネルの下面に配置され、前記操作パネルの上面に操作者が触れることによる静電容量変化を取り出すための電極と、前記操作パネルの下面に、前記電極に隣接して設けられた表示部と、前記表示部の下方に配置され、表示部に表示を行わせるための表示回路基板と、前記操作パネルの下方であって、前記電極から横方向へ離れた位置に設けられ、前記電極が取り出す静電容量変化をデジタル信号に変換し、前記加熱コイルを駆動するための制御部へ出力するための処理基板と、前記電極が取り出す静電容量変化を電極の下方であって、前記表示回路基板より低い位置まで導き、かつ、その低い位置で横方向へ導いて前記処理回路へ与えるためのフレキシブル配線基板と、前記フレキシブル配線基板を支持する樹脂製の支持体であって、前記低い位置で横方向へ延び、前記フレキシブル配線基板と前記操作パネルおよび表示回路基板との間を所定の離間状態に維持する横長支持部を含む支持体と、を備えたことを特徴とするビルトイン型ＩＨ調理器である。
【０００８】
請求項２記載の発明は、キッチンキャビネットに形成された開口に上方から挿入され、前方部がキッチンキャビネットに備えられたステーに保持されるビルトイン型ＩＨ調理器であって、被加熱物を収容した加熱調理容器が載置される天板と、前記天板の下側に配置され、天板に載置された調理容器を加熱するための加熱コイルと、前記天板の前縁に沿って、上面が水平に横方向に延びるように設けられた横長の操作パネルと、前記操作パネルの周囲を囲う枠体と、前記操作パネルの下面に配置され、前記操作パネルの上面に操作者が触れることによる静電容量変化を取り出すための電極と、前記操作パネルの下方であって、前記電極から横方向へ離れた位置に設けられ、前記電極が取り出す静電容量変化をデジタル信号に変換し、前記加熱コイルを駆動するための制御部へ出力するための処理基板と、前記電極が取り出す静電容量変化を電極の下方の低い位置まで導き、かつ、その低い位置で横方向へ導いて前記処理基板へ与えるためのフレキシブル配線基板と、前記フレキシブル配線基板を支持する樹脂製の支持体であって、前記低い位置で横方向へ延び、前記フレキシブル配線基板と前記操作パネルとの間を所定の離間状態に維持する横長支持体を含む支持体と、を備えたことを特徴とするビルトイン型ＩＨ調理器である。
【０００９】
請求項３記載の発明は、キッチンキャビネットに形成された開口に上方から挿入され、前方部がキッチンキャビネットに備えられたステーに保持されるビルトイン型ＩＨ調理器であって、被加熱物を収容した調理容器が載置される天板と、前記天板の下側に配置され、天板に載置された調理容器を加熱するための加熱コイルと、前記天板の前縁の下面に配置され、前記天板の前縁上面に操作者が触れることによる静電容量変化を取り出すための電極と、前記天板の下方であって、前記電極から横方向へ離れた位置に設けられ、前記電極が取り出す静電容量変化をデジタル信号に変換し、前記加熱コイルを駆動するための制御部へ出力するための処理基板と、前記電極が取り出す静電容量変化を電極の下方の低い位置まで導き、かつ、その低い位置で横方向へ導いて前記処理基板へ与えるためのフレキシブル配線基板と、前記フレキシブル配線基板を支持する樹脂製の支持体であって、前記低い位置で横方向へ延び、前記フレキシブル配線基板と前記天板との間を所定の離間状態に維持する横長支持部を含む支持体と、を備えたことを特徴とするビルトイン型ＩＨ調理器である。
【００１０】
請求項４記載の発明は、前記支持体は、上側に上側空間を確保するために突出するリブを有することを特徴とする、請求項１〜３のいずれかに記載のビルトイン型ＩＨ調理器である。
請求項５記載の発明は、前記枠体は金属で形成されていることを特徴とする、請求項１または２記載のビルトイン型ＩＨ調理器である。
【００１１】
請求項６記載の発明は、前記操作パネルは、キッチンキャビネットへの組み込み完了時に前記ステーの上に配置される構成であり、配置時に、前記横長支持部は前記ステーの上面と対向する位置になり、前記支持体は、前記ステーの上面と前記横長支持部とを所定の離間状態に維持するために、横長支持部から下方へ突出する突起を有することを特徴とする、請求項１、２または５記載のビルトイン型ＩＨ調理器である。
【００１２】
請求項７記載の発明は、前記枠体は、操作パネルの下方を覆う金属製底板を含むことを特徴とする、請求項５記載のビルトイン型ＩＨ調理器である。
請求項８記載の発明は、前記支持体は、金属製底板との間を所定の離間状態に保つために、前記横長支持体から下方へ突出する突起を有することを特徴とする、請求項７記載のビルトイン型ＩＨ調理器である。
【００１３】
請求項９記載の発明は、前記横長支持部は、前記枠内の下方前側において、前記フレキシブル配線基板を支持することを特徴とする、請求項１〜８のいずれかに記載のビルトイン型ＩＨ調理器である。
請求項１０記載の発明は、前記操作パネルは、前記天板より一段高い位置に設けられていることを特徴とする、請求項１、２または５記載のビルトイン型ＩＨ調理器である。
【００１４】
請求項１１記載の発明は、前記操作パネルには、回転式操作部が設けられていて、回転式操作部は、前記操作パネルを上下に貫通する孔から上方へ突出する回転軸と、前記孔の周囲を覆うように、前記操作パネルの上面に配置された水封シールド環と、前記回転軸の周囲を囲み、かつ、前記水封シールド環を覆うように設けられた環状のつまみ土台と、前記つまみ土台を介在させ、回転軸の上端に取り付けられた操作ダイヤルと、を有することを特徴とする、請求項１、２または５記載のビルトイン型ＩＨ調理器である。
【発明の効果】
【００１５】
請求項１記載の発明によれば、フレキシブル配線基板は、横方向へ静電容量変化を導くために延びているが、その部分は支持体の横長支持部で支持されている。よってフレキシブル配線基板が横方向に長くても、途中で上下に撓みにくく、その上方に位置する操作パネルおよび表示回路基板と近接したり、離れたりすることなく、操作パネルおよび表示回路基板と所定の離間状態を維持することができる。よって、操作パネルや表示回路基板からのノイズ（静電容量変化）を受けにくい構造とでき、正しく静電容量変化を処理基板へ伝達することができる。
【００１６】
また、操作パネルは、被加熱物を収容した調理容器が載置される天板とは別体で構成されており、操作パネルが天板から静電容量的影響を受けにくい。
なお、天板および操作パネルを、共に、ガラス板で構成すれば、ＩＨ調理器の表面をガラス製のデザインで統一でき、デザイン的に優れたものとなる。
さらに、操作パネルの周囲は枠体で覆われているため、操作パネルの堅牢さが強調されている。この場合において、枠体を金属で形成した場合、操作パネル内に外部からの静電容量的影響が侵入しにくいという利点を生じる。
【００１７】
請求項２記載の発明も、請求項１記載の発明と同様、操作パネルの下方で横方向に延びるフレキシブル配線基板が、支持体の横長支持部で支持されており、上下に撓みにくく、操作パネルとの間を所望の間隔（離間状態）に保つことができ、操作パネルからの静電容量的影響がフレキシブル配線基板に加わるのを防止できる。
請求項３記載の発明によれば、天板の前縁が操作パネルとして機能するように構成されている。すなわち、天板の前縁の上面に操作者が触れることにより、静電容量変化を検出できるようにされている。
【００１８】
このような請求項３記載のビルトイン型ＩＨ調理器であっても、天板の前縁下方に横方向に延びるフレキシブル配線基板は、支持体の横長支持部で支持されているから、天板との間が所定の離間状態に維持されており、横方向に延びるフレキシブル基板に天板等からの静電容量的影響が加わることを防止できる。
請求項４記載の発明によれば、支持体にはリブが備えられているから、リブにより、支持体の上側に上側空間を確実に確保でき、前述の離間状態を保てる。
【００１９】
請求項５記載の発明によれば、枠体を金属で形成することにより、枠体内に外部ノイズが入りにくくできる。また、デザイン的に操作パネル周りを高級感のある構成とすることができる。
請求項６記載の発明によれば、ビルトイン型ＩＨ調理器がキッチンキャビネットに備えられたステーに保持されたときに、そのステーの上に操作パネルが配置される構成であっても、操作パネル内のフレキシブル配線基板に対してステーからのノイズが乗ることがなく、静電容量変化を正確に検出できる、誤動作のないビルトイン型ＩＨ調理器とすることができる。
【００２０】
請求項７記載の発明によれば、枠体は操作パネルの下方を覆う金属底板を含んでおり、下方からのノイズが操作パネル方向へ流入するのを防止することができる。また、操作パネル部の強度を確保することができる。
請求項８記載の発明によれば、金属製底板とフレキシブル配線基板との間が所定の離間状態に保たれるので、金属製底板を通してフレキシブル配線基板に静電容量的影響が加わるのを防止できる。
【００２１】
請求項９記載の発明によれば、フレキシブル配線基板はビルトイン型ＩＨ調理器の前方寄りに配置されるため、フレキシブル配線基板が加熱コイルの生じる電磁ノイズ等の影響を受けにくい。
請求項１０記載の発明によれば、操作パネルを天板よりも一段高い場所に設けたことにより、加熱ヒータから操作部への熱伝導を低減することができ、操作パネルが熱くなったりするのを防止できる。また、調理時において、調理容器からの吹きこぼれが操作パネルにまで達することを防止でき、操作ダイヤルが設けられている場合に、こぼれた液体が操作ダイヤル内に侵入するのを防止できる。
【００２２】
また、調理容器がＩＨ調理器の前方へ滑ったり、前方から滑り落ちるのを防止することができる。
請求項１１記載の発明によれば、回転式の操作ダイヤルが備えられている場合に、その操作ダイヤルの回転軸と操作パネルに形成された孔との間から内部へ水やごみが侵入するのを確実に阻止することができる。
【発明を実施するための最良の形態】
【００２３】
以下では、この発明の一実施形態に係る加熱調理器１を、添付図面を参照して詳細に説明する。
図１は、加熱調理器１を正面右上から見た斜視図である。図１の説明では、方向について言及する場合には、図示した方向矢印を参照する（以下同様）。ここで、前側と正面側とは同じであり、後側と背面側とは同じであり、左右方向と幅方向とは同じである。
【００２４】
この実施形態に係る加熱調理器１は、キッチンキャビネット（図示せず）にビルトインされる、いわゆるビルトイン型の誘導加熱調理器（ＩＨ調理器）である。図１に示すように、加熱調理器１は、その外殻をなすケーシング２を備えている。
ケーシング２は、平面視においてやや幅広の矩形状であり、かつ、上下方向にやや薄いボックス形状である。ケーシング２は、その主たる部分をなすフレーム３と、フレーム３の上面に設けられた天板４とを有している。
【００２５】
フレーム３は、ケーシング２とほぼ同じ大きさで中空のボックス形状であり、その前側上端部は、幅方向全域に亘って、左側面視で略Ｌ字形状に窪んでおり、組み付け部５とされる。組み付け部５は、キッチンキャビネットに設けられた位置決めバー（図示せず）に嵌まり、これにより、加熱調理器１がキッチンキャビネットに組み付けられる。
天板４は、ガラス製であって、ケーシング２の上面をなし、平面視で矩形の薄板状に形成されており、フレーム３の上面を覆っている。
【００２６】
天板４の後縁部の左右には、フレーム３の内部に連通する切欠きがそれぞれ設けられており、左側の切欠きは、左通風口２０とされ、右側の切欠きは、右通風口２１とされる。左通風口２０および右通風口２１のそれぞれは、左カバーおよび右カバーとしてのカバー２２によって上から覆われている。カバー２２は、格子状に形成されているので、左通風口２０および右通風口２１は、カバー２２によって覆われた状態であっても、外部に連通している（通気性を有している）。つまり、カバー２２は、左通風口２０および右通風口２１のそれぞれを通風可能にカバーしている。
【００２７】
フレーム３では、天板４の下側かつ組み付け部５の後側に上側空間６が形成されている。上側空間６、すなわち天板４の下側には、前方左右と後方中央との合計３箇所の位置に、誘導加熱コイルがそれぞれ配置されており、各誘導加熱コイルは、それぞれの位置に応じて、左加熱コイル７、右加熱コイル８、中央後加熱コイル９（図１参照）と区別される。左加熱コイル７および右加熱コイル８は、左右に並べて配置されている。中央後加熱コイル９は、左加熱コイル７および右加熱コイル８の間で、かつ、左加熱コイル７および右加熱コイル８の後側に配置されている。また、左加熱コイル７および右加熱コイル８の定格出力は、ともに相対的に大きく、たとえば３ｋＷである。これに対し、中央後加熱コイル９の定格出力は、相対的に小さく、たとえば１．６ｋＷである。
【００２８】
なお、図１に示すように、天板４の上面において、左加熱コイル７、右加熱コイル８および中央後加熱コイル９のそれぞれに一致する部分には、容器（金属鍋など）の載置位置を示すための環状の囲み線が、印刷などによって表示されている。各囲み線は、それぞれの位置に応じて、左囲み線１０、右囲み線１１、中央後囲み線１２と区別される。左囲み線１０は、左加熱コイル７に対応し、天板４の左側に位置している。右囲み線１１は、右加熱コイル８に対応し、天板４の右側に位置している。中央後囲み線１２は、中央後加熱コイル９に対応し、天板４の後側中央に位置している。
【００２９】
また、フレーム３内の上側空間６より下側の左領域には、前方へ引き出し可能なロースター１７が配置されている。ロースター１７内には、ヒータが設けられており、ロースター１７内に収容された被加熱物は、ヒータによって加熱される。
なお、上側空間６の下側の右領域には、左加熱コイル７、右加熱コイル８および中央後加熱コイル９を制御する制御回路基板およびその制御回路基板の後方に位置する送風装置１９が配置されている。
【００３０】
天板４の前縁には、左右方向に延びるように、天板４に比べて一段上側へ突き出た操作部２４が取り付けられている。操作部２４は、組み付け部５の上方に位置している。操作部２４の上面には操作パネル２７が設けられ、このパネルの左３分の１の領域に、キー入力部２５Ｌ、表示部２６Ｌ、操作ダイヤル（つまみ入力部）２３Ｌが、左から右に並ぶように配置されている。また、操作パネル２７の左右方向中央の３分の１の領域にはキー入力部２５Ｃ、表示部２６Ｃ、操作ダイヤル（つまみ入力部）２３Ｃが、左から右に並ぶように配置されている。さらに、操作パネル２７の右３分の１の領域には、キー入力部２５Ｒ、表示部２６Ｒおよび操作ダイヤル（つまみ入力部）２３Ｒが、左から右に並ぶように配置されている。キー入力部２５Ｌ、表示部２６Ｌおよび操作ダイヤル２３Ｌは、左加熱コイル７によって加熱する調理容器を載置する位置を表わす天板４に表記された左囲み線１０に対応づけて設けられており、左加熱コイル７による加熱調理に必要な信号の入力表示部である。キー入力部２５Ｃ、表示部２６Ｃおよび操作ダイヤル２３Ｃは、中央後加熱コイル９による加熱調理に必要な信号の入力表示部であり、中央後囲み線１０に対応づけた位置、すなわち中央後囲み線１２の前側に配置されている。キー入力部２５Ｒ、表示部２６Ｒおよび操作ダイヤル２３Ｒは、右加熱コイル８による加熱調理に必要な信号の入力表示部であり、右囲み線１１に対応づけた前方右位置に配置されている。
【００３１】
図２は、操作部２４の平面図である。図２を参照して、操作部２４の上面である操作パネル２７に備えられた入力部および表示部の構成についてより詳細に説明する。
キー入力部２５Ｌは、操作パネル２７の下面に配置された静電容量変化を検出するための電極を有し、操作パネル２７の上面にユーザが指を触れると電極の静電容量が変化をするので、その変化を入力信号として利用する静電容量式のタッチキーによって構成されている。キー入力部２５Ｌには、「ＯＮ／ＯＦＦ」「ＴＩＭＥＲ」「ＭＥＮＵ」という３種類のタッチキーが横方向に配列されている。これらタッチキーの表面にユーザの指が触れると、静電容量の変化が検出されて、信号が入力される。すなわち、左加熱コイル７（図１参照）のオンおよびオフの切り換え、タイマー設定時間の入力およびメニュー選択信号の入力ができる。
【００３２】
キー入力部２５Ｌの右隣に隣接された表示部２６Ｌには、左加熱コイル７の火力を表わす横方向に複数の発光部が配列されたバー状の火力表示、「揚げ物」「炒め物」「保温」「少量油」というのメニュー表示、「３ｋＷ」という最大出力表示、「８：８８」というタイマー時間表示が備えられている。
表示部２６Ｌの右側には操作ダイヤル（つまみ）２３Ｌが設けられている。操作ダイヤル２３Ｌは、操作パネル２７の表面から上方へ突出する平面視円形の円柱状のつまみである。操作ダイヤル２３Ｌが回転操作されることにより、操作パネル２７の下側に設けられ、操作ダイヤル２３Ｌに連結されたボリュームエンコーダが回転して加熱情報（どの程度の火力で調理を行うか）および調理の開始信号を出力する。出力される加熱情報および開始信号は制御部へ与えられる。
【００３３】
操作パネル２７の右３分の１の領域に設けられたキー入力部２５Ｒ、表示部２６Ｒおよび操作ダイヤル２３Ｒは、上述した左３分の１の領域に設けられたキー入力部２５Ｌ、表示部２６Ｌおよび操作ダイヤル２３Ｌの構成と同じ構成である。
操作パネル２７の中央３分の１の領域に設けられたキー入力部２５Ｃ、表示部２６Ｃおよび操作ダイヤル２３Ｃの構成は、キー入力部２５Ｃは、キー入力部２５Ｌ、２５Ｒと同じであるが、表示部２６Ｃが多少異なっている。これは、表示部２６Ｃが表示する中央後加熱コイル６（図１参照）の出力が１．６ｋＷと定格が小さいので、それに合わせて表示内容を変えているからである。なお、操作ダイヤル２３Ｃは、左右の操作ダイヤル２３Ｌ、２３Ｒと比べてやや小振りになっているが、機能は同じである。
【００３４】
図３は、加熱調理器１の平面図で、左囲み線１０の載置領域にフライパン３０が載置された状態の平面図である。図４は、図３の右側面図である。
図３および図４を参照して、操作ダイヤル２３Ｌの配置位置は、前方から見て、天板４の調理容器載置位置である左囲み線１０の中心から右側へ距離Ａずれた位置に設けられている。
【００３５】
同様に、中央後囲み線１２に対応した操作ダイヤル２３Ｃは、前方から見て、天板４の調理容器載置位置である中央後囲み線１２の中心から右側へ距離Ａずれた位置に設けられている。さらに、右囲み線１１に対応する操作ダイヤル２３Ｒは、前方から見て、天板４の調理容器載置位置である右囲み線１１の中心から右側へ距離Ａずれた位置に設けられている。
【００３６】
この結果、フライパン３０をたとえば左囲み線１０上に載置したとき、その柄３１が加熱調理器１の前方へ延び出していても、操作ダイヤル２３Ｌが左囲み線１０の中央から右側へ距離Ａずれた位置にあるため、柄３１と干渉することがない。
すなわち、図４に示すように、水平方向の高さだけを見ると、操作ダイヤル２３Ｌ、２３Ｃ、２３Ｒの高さは、天板４上に載置されたフライパン３０の柄３１と干渉し得る高さになっている。しかしながら、図３の平面視で表わされるように、各操作ダイヤル２３Ｌ、２３Ｃ、２３Ｒは、調理容器載置位置の中心から横にずれた位置に配置されているから、調理容器のたとえば柄等と干渉することなく、調理容器が載置された状態で、操作がしづらい等の問題はない。
【００３７】
図５は、操作部２４の右端部分の分解斜視図である。操作部２４は、金属製（たとえばアルミニウム製）の枠体２８を有しており、枠体２８の上面にガラス製の操作パネル２７が配置されている。操作パネル２７には回転式操作部（つまみ入力部）を設けるために貫通孔３２が形成されている。そして貫通孔３２からは、操作パネル２７の下方、すなわち枠体２８内に配置されるボリュームエンコーダ３４の回転軸３５が上方へ突出する。そして、突出した回転軸３５の周囲を囲むように、貫通孔３２の周縁部に水封シールド環３６が配置される。そしてその上につまみ土台３７が設けられる。つまみ土台３７は、たとえば樹脂で成形されており、回転軸３５の周囲（より具体的には回転軸３５の根元部３５Ｂの周囲を囲み、かつ、貫通孔３２の周縁部に載置された水封シールド環３６を覆う形状をした環状部材である。この実施形態では、このつみ土台３７および水封シールド環３６を設けたことにより、操作パネル２７の上面から貫通孔３２を通って操作パネル２７の下面、すなわち枠体２８内へ水や埃が侵入することを防止できる。
【００３８】
つまみ土台３７には、また、回転軸３５の周囲を一定間隔あけて取り囲むように立ち上がった円筒壁３７Ｆが備えられている。
枠体２８の上に操作パネル２７がセットされ、ボリュームエンコーダ３４の回転軸３５が貫通孔３２から上方へ突出して、貫通孔３２の周縁部に水封シールド環３６が配置され、その上からつまみ土台３７がセットされた後、回転軸３５にワッシャ３８が嵌められてナット３９が螺合されることにより、枠体２８に対するボリュームエンコーダ３４、操作パネル２７、水封シールド環３６およびつまみ土台３７の取り付けが完了する。そして回転軸３５の上端部に操作ダイヤル２３が嵌められる。
【００３９】
図６は、組み立てられた状態の回転式操作部（つまみ入力部）の縦断面図であり、図５に示す構成要素と同一部分には同一番号が付されている。図６に示されるように、操作パネル２７に形成された貫通孔３２の上面周囲には水封シールド環３６が配置されており、しかも水封シールド環３６はつまみ土台３７で覆われているので、操作パネル２７の上面から貫通孔３２へ水や埃が侵入できない構造となっていることがわかる。
【００４０】
また、つまみ土台３７には円筒壁３７Ｆが備えられているから、操作ダイヤル２３とつまみ土台３７との隙間から水や埃が侵入しようとした場合、円筒壁３７Ｆを乗り越えて侵入しなければならず、侵入しにくい構造であることがわかる。
図７は、静電容量式のタッチキーの要部構成を示す図解的な縦断面図である。
ガラス製の操作パネル２７の下面２７Ｄには、電極（タッチキー電極）４１が配置されている。電極４１は、電極基板４２の上面所定位置に所定領域を有するように設けられている。そして操作パネル２７の下面２７Ｄに密着するように配置される。この状態で、操作パネル２７の上面２７Ｕの電極４１に対応する位置にユーザの指が触れると、電極４１は、静電容量変化を検出することができる。
【００４１】
この実施形態では、操作パネル２７は、厚みＡがたとえば４ｍｍのガラス板が採用されている。よって電極４１は、厚みＡ＝４ｍｍのガラス板（操作パネル）２７を隔ててユーザの指が触れたことに基づく微小な静電容量変化を取り出す。
図８は、操作部２４（図１、図２参照）に内蔵されている３つの電極基板４２Ｌ、４２Ｃ、４２Ｒと、各電極基板４２Ｌ、４２Ｃ、４２Ｒから与えられる静電容量変化をデジタル信号に変換して出力するための処理基板４３と、電極基板４２Ｌ、４２Ｒと処理基板４３との間を接続しているフレキシブル配線基板４４（４４Ｌ、４４Ｒ）と、電極基板４２Ｃと処理基板４３との間を接続しているフレキシブル配線基板４５と、フレキシブル配線基板４４および４５を支持するための支持体４６の配置との関係を表わす上側から見た斜視図（図８（Ａ））、正面図（図８（Ｂ））および下側から見た斜視図（図８（Ｃ））である。
【００４２】
図８を参照して、処理基板４３は、電極基板４２Ｃの近傍下方に配置されており、電極基板４２Ｃとの空間距離はさほど離れていない。一方、電極基板４２Ｌおよび４２Ｒは、操作パネル２７（図２参照）の左側下面よび右側下面に設けられるため、電極基板４２Ｃと横方向に一定の間隔をあけて配置されており、処理基板４３とも距離が離れている。よって、電極基板４２Ｌと処理基板４３との間は横方向に延びる比較的長いフレキシブル配線基板４４（４４Ｌ）で電気的に接続されている。また、電極基板４２Ｒと処理基板４３との間も、横方向に延びる比較的長いフレキシブル配線基板４４（４４Ｒ）により電気的に接続されている。
【００４３】
フレキシブル配線基板４４は、その名前の通り、可撓性があり所望の経路に沿わせて配線することのできる薄いシート状（リボン状）の配線基板である。それゆえ、横方向（水平方向）に長く延びる配線状態では、上下に撓み易いという特性がある。
一方、フレキシブル配線基板４４は電極基板４２Ｌおよび４２Ｒで検出される微小な静電容量変化を伝達する電気配線であり、その周囲に回路基板が近接していたり、金属体が近接していたりした場合に、フレキシブル配線基板４４は近接している配線基板や金属体との間で部分的な容量結合を生じる。容量結合により発生する浮遊容量は、電極基板４２Ｌ、４２Ｒにより検出された静電容量にノイズとして加わり、正確な静電容量変化を処理基板４３へ伝達できない可能性がある。
【００４４】
そこでこの実施形態では、支持体４６を設け、フレキシブル配線基板４４、４５、特に横方向に長手のフレキシブル配線基板４４が撓んだり、配置位置が微妙に変化したりしないように構成されている。
より具体的には、支持体４６は、電極基板４２Ｌ、４２Ｒ、４２Ｃよりも低い位置で横方向に延びる横長支持部４７（４７Ｌ，４７Ｒ）を有している。この横長支持部４７によってフレキシブル配線基板４４の横方向に延びる部分が所定位置に維持されるように支持されている。横長支持部４７は、一体的に設けられた複数の係止爪４８を有し、フレキシブル配線基板４４は横長支持部４７に沿って動かないように支持されている。つまり、フレキシブル配線基板４４は、横長支持部４７から浮き上がったり離れたりすることが防止されている。特にフレキシブル配線基板４４は、フラットケーブルに比べて不所望に撓みにくく、横長支持部４７によって安定に支持できる。
【００４５】
なお、図８（Ａ）において、各電極基板４２Ｌ、４２Ｃ、４２Ｒの上面に配列されているのが電極４１である。
図９は、操作部２４の分解斜視図であり、下側から見た状態で示されている。図９において、２８は金属製（たとえばアルミニウム製）の枠体であり、２７はガラス板でできた操作パネルである。２３Ｌ、２３Ｃ、２３Ｒは操作ダイヤル、３７はつまみ土台、３６は水封シールド環を示している。また、３４はボリュームエンコーダであり、これらについては図６を参照して説明した構成を有している。
【００４６】
また、電極基板４２、処理基板４３、フレキシブル配線基板４４、４５および支持体４６に関する配置構成は、図８（特に図８（Ｃ）で説明した構成）と同じであり、同一部分には同一番号が付されている。
図９の分解斜視図からわかるように、各電極基板４２Ｌ、４２Ｃおよび４２Ｒの右側には表示部２６Ｌ、２６Ｃ、２６Ｒ（図２参照）に表示制御を行わせるための表示回路基板５０Ｌ、５０Ｃ、５０Ｒが備えられている。表示回路基板５０Ｌ、５０Ｃ、５０Ｒは部分的に導電性のある材料を有している。このため、組み立てられた状態において、表示回路基板５０Ｌ、５０Ｃ、５０Ｒとフレキシブル配線基板４４、４５との間を所定の離間状態に維持する必要がある。
【００４７】
そこで、図１０（操作部２４を裏面側から見た図であり、下方が正面になっている。）に示すように、支持体４６には横長支持部４７の長さ方向に対して交差方向に所定の突出量を有する突部５１が備えられている。突部５１は横長支持部４７と一体成形されている。突部５１は、表示回路基板５０（５０Ｃ、５０Ｌ）とフレキシブル配線基板４４（４４Ｌ）との間を所定の離間距離に維持するためのスペーサとして機能する。
【００４８】
さらに、支持体４６の底面側には、フレキシブル配線基板４４の周囲を囲むように下方へ張り出した囲みリブ５２が備えられている。この囲みリブ５２は突部５１と相挨って、操作部２４の下面側に金属板（たとえば鉄板）が取り付けられたとき、あるいは、操作部２４が加熱調理器１に装着され、操作部２４の下面がキッチンに備えられたステーの上面に沿って配置される際に、取り付けられる天板またはステーとフレキシブル配線基板４４との間を所定の離間状態に維持することができる。
【００４９】
図１１は、加熱調理器１に操作部２４が組み合わされた状態の部分断面図である。図１１において４は天板であり、天板４の前縁に沿って操作部２４が取り付けられている。操作部２４の枠体２８の上に配置された操作パネル２７は天板４よりも一段高い位置に設けられている。操作パネル２７の下面には電極基板４２が配置され、電極基板４２の下方には表示回路基板５０が備えられている。そして表示回路基板５０から所定の間隔をあけて下方にフレキシブル配線基板４４が配線されている。この所定の間隔（離間状態）を維持するために、フレキシブル配線基板４４は支持体４６で支持されている。支持体４６にはフレキシブル配線基板４４を下面側に沿わせて案内するための横長支持部４７、フレキシブル配線基板４４を横長支持部４７の下面に当接させた状態を維持するための係止爪４８が備えられている。また、横長支持部４７には、その長さ方向に交差方向へ突出する突部５１が備えられている。突部５１により、表示回路基板５０とフレキシブル配線基板４４との間に所定の離間状態が維持されている。さらに、支持体４６には囲みリブ５２が備えられている。囲みリブ５２と下方に突出した突部５１とは、枠体２８の下面側に取り付けられる金属カバー５３に当接して、金属カバー５３がフレキシブル配線基板４４に近付きすぎないように、フレキシブル配線基板４４と金属カバー５３との間に所定の離間状態を維持する働きをする。
【００５０】
また図１１からわかるように、フレキシブル配線基板４４は、操作部２４内で、天板４から離れた位置、すなわち前方寄りに配線されている。このため、フレキシブル配線基板４４は、天板４の下側に備えられた加熱コイル７（８，９）からの電磁ノイズ等の影響を受けにくい。
なお、操作部２４の操作パネル２７は、天板４よりも一段高い位置にあり、天板４と操作パネル２７との間には枠体２８が介在しているため、天板４上に載置された調理容器が加熱により吹きこぼれ等を生じても、こぼれた汁が操作パネル２７にかかったりすることはない。また、操作部２４は天板４よりも一段高くされているので、天板４上に載置された調理容器が天板４の前方側（図１１において左側）へ滑っても、操作部２４で止められ、天板４の前方側から落ちたりするのを防止できる。
【００５１】
さらに、天板４と表示パネル２７とを、共にガラス板で構成すれば、平面視において、天板４のガラス板と操作パネル２７のガラス板とが調和されており、デザイン的に統一のとれた加熱調理器１とすることができる。さらに操作パネル２７の周囲を囲む枠体２８を金属製、たとえばアルミニウム製とすることにより、高級感のある意匠とすることができる。
【００５２】
なお、この発明は、電極４１の静電容量変化を伝達するためのフレキシブル配線基板の配置構造に主たる特徴がある。それゆえ、この発明に係るフレキシブル配線基板４４の配置構造は、天板４の前縁下面にタッチパネルを構成する電極を配置した構成、すなわち天板４の前縁の一部が操作パネル２７として機能するような構成のビルトイン型ＩＨ調理器にも適用することができる。
【００５３】
この発明は、以上説明した実施形態に限定されるものではなく、請求項記載の範囲内において種々の変更が可能である。
【図面の簡単な説明】
【００５４】
【図１】この発明の一実施形態に係る加熱調理器１を正面右上から見た斜視図である。
【図２】操作部２４の平面図である。
【図３】加熱調理器１の平面図で、左囲み線１０の載置領域にフライパン３０が載置された状態の平面図である。
【図４】図３の右側面図である。
【図５】操作部２４の右端部分の分解斜視図である。
【図６】組み立てられた状態の回転式操作部（つまみ入力部）の縦断面図である。
【図７】静電容量式のタッチキーの要部構成を示す図解的な縦断面図である。
【図８】フレキシブル配線基板４４、４５の配置構造を説明するための上側から見た斜視図（Ａ）、正面図（Ｂ）および下側から見た斜視図（Ｃ）である。
【図９】下側から見た状態で示された操作部２４の分解斜視図である。
【図１０】操作部２４を裏面側から見た図である。
【図１１】加熱調理器１に操作部２４が組み合わされた状態の部分断面図である。
【符号の説明】
【００５５】
１    加熱調理器
７、８、９    加熱コイル
２３    操作ダイヤル（つまみ入力部）
２４    操作部
２５    キー入力部
２６    表示部
２７    操作パネル
２８    枠体
３６    水封シールド環
３７    つまみ土台
４０    制御部
４１    電極
４２    電極基板
４３    処理基板
４４（４４Ｌ、４４Ｒ）、４５    フレキシブル配線基板
４６    支持体
４７    横長支持部
４８    係止爪
５０    表示回路基板
５１    突部
５２    囲みリブ
【図１】
2009163898.tif 000003
【図２】
2009163898.tif 000004
【図３】
2009163898.tif 000005
【図４】
2009163898.tif 000006
【図５】
2009163898.tif 000007
【図６】
2009163898.tif 000008
【図７】
2009163898.tif 000009
【図８】
2009163898.tif 000010
【図９】
2009163898.tif 000011
【図１０】
2009163898.tif 000012
【図１１】
2009163898.tif 000013